(57)【要約】【課題】  スリーブに濾過フィルタを組付ける際の組付性に優れるスプール弁を提供する。【解決手段】  濾過フィルタ４１は、薄板金属で矩形平面に形成される。スリーブ３には、濾過フィルタ４１を組付けるためのガイド溝４３が形成されている。ガイド溝４３は、濾過フィルタ４１の対向する２つの長辺を出力ポート８の開口端Ａからスリーブ３内に挿し入れるための平行溝である。また、ガイド溝４３の終端には、濾過フィルタ４１の先端の短辺が挿し入れられる先端封止溝４４が形成されている。平な濾過フィルタ４１を直線的なガイド溝４３に沿って挿し込むことで濾過フィルタ４１の組付けを行うことができるため、濾過フィルタ４１の組付性が向上する。また、オイルの流れ方向に関係なく濾過フィルタ４１の外周縁がスリーブ３に密着するため、組付クリアランスからの異物の混入を防ぐことができる。【選択図】  図１
2008232272.tif 000002
【特許請求の範囲】
【請求項１】
略筒状に形成され、内外を連通する開口部を備えるスリーブと、
このスリーブ内において軸方向へ摺動自在に支持され、前記開口部の開度を可変可能なスプールと、
前記開口部に取り付けられ、前記開口部を通過する流体を濾過する濾過フィルタと、
を具備するスプール弁であって、
前記濾過フィルタは、少なくとも外周縁が略同一平面上の矩形に設けられ、
前記スリーブには、前記濾過フィルタの対向辺を挿し入れるガイド溝が形成されていることを特徴とするスプール弁。
【請求項２】
略筒状に形成され、内外を連通する開口部を備えるスリーブと、
このスリーブ内において軸方向へ摺動自在に支持され、前記開口部の開度を可変可能なスプールと、
前記開口部に取り付けられ、前記開口部を通過する流体を濾過する濾過フィルタと、
を具備するスプール弁であって、
前記濾過フィルタにおける流体濾過部は、前記スリーブの軸方向に沿う軸線に対し、前記スリーブの径方向の外側あるいは内側に膨出して設けられていることを特徴とするスプール弁。
【請求項３】
略筒状に形成され、内外を連通する開口部を備えるスリーブと、
このスリーブ内において軸方向へ摺動自在に支持され、前記開口部の開度を可変可能なスプールと、
前記開口部に取り付けられ、前記開口部を通過する流体を濾過する濾過フィルタと、
を具備するスプール弁であって、
前記濾過フィルタは、外周縁が略同一平面上の矩形に設けられ、
前記スリーブには、前記濾過フィルタの対向辺を挿し入れるガイド溝が形成され、
前記濾過フィルタにおける流体濾過部は、前記スリーブの軸方向に沿う軸線に対し、前記スリーブの径方向の外側あるいは内側に膨出して設けられていることを特徴とするスプール弁。
【請求項４】
請求項２または請求項３に記載のスプール弁において、
前記流体濾過部は、多数のスリットであり、当該流体濾過部が前記スリーブの軸方向に沿う軸線に対し、前記スリーブの径方向の外側あるいは内側に膨出することで、各スリットが開いて微小隙間を形成することを特徴とするスプール弁。
【請求項５】
請求項１〜請求項４のいずれかに記載のスプール弁において、
このスプール弁は、油圧の切替あるいは油圧の調整を行う油圧制御弁であることを特徴とするスプール弁。
【請求項６】
請求項１〜請求項５のいずれかに記載のスプール弁において、
前記スプールは、通電による発生磁力により駆動力を発生する電磁アクチュエータによって駆動されることを特徴とするスプール弁。
【発明の詳細な説明】
【技術分野】
【０００１】
本発明は、流体が流れる流路の開閉、流体の流れ方向の変更、流体の流量調整、あるいは流体の圧力調整を行うスプール弁に関する。
【背景技術】
【０００２】
（従来の技術）
流体（例えば、オイル等）の切替や、流量調整、圧力調整を行う手段としてスプール弁が知られている（例えば、特許文献１参照）。
スプール弁と電磁アクチュエータとを一体化した電磁油圧制御弁の一例を、図５に示す。なお、各名称の符号は、後述する実施例と共通符号としている。
この図５に示す電磁油圧制御弁は、例えば自動変速機の摩擦係合装置（クラッチ手段、ブレーキ手段等）に作動油圧を供給する油圧制御弁（以下、メインバルブと称す）の圧力制御室の供給油圧をコントロールするパイロットバルブであり、スプール弁１と、このスプール弁１を駆動する電磁アクチュエータ２とで構成される。
【０００３】
スプール弁１は、スリーブ３、スプール４およびリターンスプリング５から構成される。スリーブ３は、オイルポンプから油路等を介してオイルの供給を受ける入力ポート７、メインバルブの圧力制御室に油路等を介して連通する出力ポート８、オイルパン内に連通する排出ポート９が形成されており、スプール４の軸方向の位置によって、入力ポート７と出力ポート８の連通度合と、出力ポート８と排出ポート９の連通度合とが調整されることで、出力ポート８に調圧された油圧を発生する。
【０００４】
入力ポート７と出力ポート８の連通度合が大きくなり、出力ポート８と排出ポート９の連通度合が小さくなると、入力ポート７から出力ポート８に向かってオイルが流れ、メインバルブの圧力制御室に高圧油圧を発生させる。
逆に、入力ポート７と出力ポート８の連通度合が小さくなり、出力ポート８と排出ポート９の連通度合が大きくなると、出力ポート８から排出ポート９に向かってオイルが流れ、メインバルブの圧力制御室の油圧を低下させる。
【０００５】
ここで、入力ポート７に導かれるオイルは、オイルポンプに吸い込まれる以前においてオイルストレーナに設けられたオイルフィルタで濾過されており、濾過後のクリーンなオイルが入力ポート７に導かれる。
一方、メインバルブの圧力制御室から出力ポート８に戻されるオイルも、もともとはスプール弁１を通過したクリーンなオイルである。
【０００６】
しかし、オイルストレーナから入力ポート７に至るオイル経路に、製造時の切削粉、バリ、摩耗扮、あるいは分解メンテナンス時に侵入した砂や塵など、予期せぬ異物が混入する可能性がある。
同様に、出力ポート８とメインバルブの圧力制御室を連通するオイル経路にも、予期せぬ異物が混入する可能性がある。
このような予期せぬ異物がスプール弁１に侵入することで、パイロットバルブが作動不良を起こす可能性がある。
【０００７】
この異物によるパイロットバルブの作動不良を回避する技術として、入力ポート７と出力ポート８（この入力ポート７と出力ポート８は、スリーブ３の内外を連通する開口部の一例）に、図６に示すように別体の濾過フィルタＪ１を装着し、スプール弁１内に異物が侵入しないようにした技術が知られている（例えば、特許文献２、３参照）。
【０００８】
図６を参照して出力ポート８に濾過フィルタＪ１を取り付けた従来技術を説明する。
従来の濾過フィルタＪ１は、略Ｃ字形にプレス加工したプレス成形品であり、濾過フィルタＪ１の長手方向の両端（Ｃ字の両端）には内径方向に屈曲した屈曲部Ｊ２が形成されている。
一方、濾過フィルタＪ１が装着されるスリーブ３には、出力ポート８の外周開口部に、濾過フィルタＪ１が嵌まり合うフィルタ嵌入凹部Ｊ３が形成されるとともに、フィルタ嵌入凹部Ｊ３の長手方向（周方向）の両端に屈曲部Ｊ２と係合する内径方向に窪んだ係止部Ｊ４が形成されている。
濾過フィルタＪ１とスリーブ３との組付けは、略Ｃ字形を呈する濾過フィルタＪ１をスリーブ３の径方向外側からフィルタ嵌入凹部Ｊ３の内部に挿入し、一方の屈曲部Ｊ２と他方の屈曲部Ｊ２を、フィルタ嵌入凹部Ｊ３の両端の係止部Ｊ４にそれぞれ係合させることで完了する。
【０００９】
（従来技術の問題点１）
しかし、上述した特許文献２、３に開示される従来の濾過フィルタＪ１は、略Ｃ字形状を呈するものであったため、組付性の悪いものであった。
特に組付けを自動化するには、濾過フィルタＪ１のＣ字の開放方向を特定し、その状態で略Ｃ字形を呈する濾過フィルタＪ１をフィルタ嵌入凹部Ｊ３に向けて移動し、さらに両端の屈曲部Ｊ２をそれぞれ係止部Ｊ４に係合させる必要があり、自動化の妨げにもなっていた。
【００１０】
（従来技術の問題点２）
濾過フィルタＪ１を出力ポート８に設ける場合、出力ポート８はオイルの流出と流入の両方を行う。そして、出力ポート８から外部へオイルを流出させる際に、濾過フィルタＪ１には外向き、即ち濾過フィルタＪ１がスリーブ３の外径方向へ離れる側に作用する。
一方、濾過フィルタＪ１はフィルタ嵌入凹部Ｊ３内に取り付けられるものであるため、濾過フィルタＪ１の外縁とフィルタ嵌入凹部Ｊ３との間には、組付けのためのクリアランスがある。
このため、オイルの流出により、濾過フィルタＪ１がフィルタ嵌入凹部Ｊ３の底面から離れる側に作用した際に、濾過フィルタＪ１とスリーブ３との間に隙間ができる可能性があり、できた隙間から異物がスリーブ３の内部に侵入する可能性がある。
【００１１】
（従来技術の問題点３）
入力ポート７および出力ポート８の実質的なポート面積は、濾過フィルタＪ１において流体を実質的に濾過する流体濾過部Ｊ５（微小隙間の集合体）によって規制されてしまう。
従来の流体濾過部Ｊ５は、図６に示されるように、濾過フィルタＪ１とともにスリーブ３の軸方向に対しては平行に設けられるものであり、流体濾過部Ｊ５の表面積は小さいものであった。このため、流体濾過部Ｊ５は、入力ポート７および出力ポート８を通過するオイルに対して流れ抵抗として作用する。
その結果、流体濾過部Ｊ５に少量の異物が付着しても、流体濾過部Ｊ５において実質的にオイルの流れる部分が激減することになり、流体濾過部Ｊ５においてオイルの流れを大きく阻害してしまう。
また、冬季の低温始動時などオイルの温度が低下するとオイル粘度が高くなり、微小隙間の集合体である流体濾過部Ｊ５においてオイルの流れを大きく阻害してしまう。
このように、濾過フィルタＪ１の流体濾過部Ｊ５においてオイルの流れが大きく阻害されると、パイロットバルブの出力特性（出力ポート８の油圧特性）が劣化する可能性がある。
【００１２】
（従来技術の問題点４）
濾過フィルタＪ１に設けられる流体濾過部Ｊ５は、オイル中に含まれる微細な異物の通過を阻止する微小隙間の集合体であり、プレス加工によって形成するのは困難である。このため、従来は薄板金属製の濾過フィルタＪ１にエッチング技術を用いて微小隙間の集合体を形成することで流体濾過部Ｊ５を形成していた。
しかるに、エッチング技術は、金属の表面を化学的あるいは電気化学的に溶解除去する技術であり、濾過フィルタＪ１の製造コストが高くなる要因になっていた。
【００１３】
なお、上記ではパイロットバルブを例に従来技術の不具合を説明したが、パイロットバルブに限らず、濾過フィルタＪ１を組付けたスプール弁１には同様の不具合がある。
【特許文献１】特開２００２−２４３０５７号公報
【特許文献２】特開平５−３０６７８３号公報
【特許文献３】特開２００６−２５８１６１号公報
【発明の開示】
【発明が解決しようとする課題】
【００１４】
本発明は、上記の問題点を解決するためになされたものであり、次の目的を有する。
第１の目的は、濾過フィルタをスリーブに組付ける際の組付性に優れるスプール弁の提供にある。
第２の目的は、流体の流れによって濾過フィルタとスリーブとの間に隙間が生じることのないスプール弁の提供にある。
第３の目的は、濾過フィルタの流体濾過部において流体の流れが阻害され難いスプール弁の提供にある。
第４の目的は、濾過フィルタにおける流体濾過部の製造が容易なスプール弁の提供にある。
【課題を解決するための手段】
【００１５】
〔請求項１の手段〕
請求項１に記載のスプール弁は、スリーブの開口部に濾過フィルタが取り付けられるものであり、濾過フィルタは、少なくとも外周縁が略同一平面上の矩形に設けられる。
スリーブには、濾過フィルタの対向辺を挿し入れるガイド溝が形成されており、ガイド溝に沿って濾過フィルタの対向辺を挿し込むことで、濾過フィルタがスリーブの開口部に組付けられる。
このように、濾過フィルタをスリーブのガイド溝に沿って挿し込むことで濾過フィルタの組付けを行うことができるため、従来技術に比較して濾過フィルタの組付性が向上する。また、濾過フィルタの自動組付けも可能になる。
【００１６】
一方、開口部の外部から内部へ流体が流れる際は、流体の流れ抵抗を受けて濾過フィルタがガイド溝の内径側に押し付けられて、濾過フィルタの外周縁がガイド溝の内径側に密着する。
逆に、開口部の内部から外部へ流体が流れる際は、流体の流れ抵抗を受けて濾過フィルタがガイド溝の外径側に押し付けられて、濾過フィルタの外周縁がガイド溝の外径側に密着する。
このように、流体の流れ方向に関係なく濾過フィルタの外周縁が流体の流れ作用によってガイド溝に密着するため、濾過フィルタとスリーブとの間に隙間ができることがなく、濾過フィルタの組付クリアランスから異物がスリーブの内部に侵入する不具合がない。即ち、信頼性に優れたスプール弁を提供できる。
【００１７】
〔請求項２の手段〕
請求項２に記載のスプール弁は、スリーブの開口部に濾過フィルタが取り付けられるものであり、濾過フィルタにおける流体濾過部は、スリーブの軸方向に沿う軸線に対し、スリーブの径方向の外側あるいは内側に膨出して設けられる。
このように流体濾過部がスリーブの軸方向に対し、スリーブの径方向の外側あるいは内側に膨出することで、流体濾過部の表面積を大きく確保することができる。
流体濾過部の表面積が大きくなることで、流体濾過部における流体の流れ抵抗を小さくできる。
また、流体濾過部に少量の異物が付着しても、従来技術に比較して流体の流れ抵抗を小さくできる。さらに、冬季の低温始動時などオイルの温度が低下した場合であっても、従来技術に比較して流体の流れ抵抗を小さくできる。このように、濾過フィルタの流体濾過部において流体の流れが阻害される不具合を抑えることができ、スプール弁の出力特性の劣化を抑えることができる。即ち、信頼性に優れたスプール弁を提供できる。
【００１８】
〔請求項３の手段〕
請求項３に記載のスプール弁は、上記請求項１のスプール弁の特徴と上記請求項２のスプール弁の特徴の両方を備えるものであり、上述した請求項１のスプール弁の効果と上述した請求項２のスプール弁の効果の両方の効果を奏する。
【００１９】
〔請求項４の手段〕
請求項４に記載のスプール弁の流体濾過部は、多数のスリットであり、流体濾過部がスリーブの軸方向に沿う軸線に対し、スリーブの径方向の外側あるいは内側に膨出することで、各スリットが開いて微小隙間を形成するものである。
このように、流体濾過部の膨出を利用して多数のスリットを開かせて微小隙間を形成するものであるため、多数の微小隙間の形成を容易に実施でき、濾過フィルタのコストを抑えることができる。これによって、濾過フィルタを設けたスプール弁のコストを抑えることができる。
【００２０】
〔請求項５の手段〕
請求項５に記載のスプール弁は油圧のコントロールを行う油圧制御弁であり、上記請求項１〜４のいずれかと組み合わされることで上記請求項１〜４のいずれかの効果を備えた油圧制御弁を提供することができる。
【００２１】
〔請求項６の手段〕
請求項６に記載のスプール弁は電磁アクチュエータと組み合わされて電磁スプール弁を構成するものであり、上記請求項１〜５のいずれかと組み合わされることで上記請求項１〜５のいずれかの効果を備えた電磁スプール弁を提供することができる。
【発明を実施するための最良の形態】
【００２２】
スプール弁は、略筒状に形成され、内外を連通する開口部を備えるスリーブと、このスリーブ内において軸方向へ摺動自在に支持され、開口部の開度を可変可能なスプールと、開口部に取り付けられ、開口部を通過する流体を濾過する濾過フィルタとを具備する。
最良の形態１のスプール弁は、濾過フィルタの少なくとも外周縁が略同一平面上の矩形に設けられ、スリーブには濾過フィルタの対向辺を挿し入れるガイド溝が形成されている。そして、ガイド溝に沿って濾過フィルタを挿し込むことで、濾過フィルタがスリーブの開口部に組付けられる。
最良の形態２のスプール弁は、濾過フィルタにおける流体濾過部がスリーブの軸方向に沿う軸線に対し、スリーブの径方向の外側あるいは内側に膨出して設けられており、流体濾過部の表面積を大きくできる。
最良の形態３のスプール弁は、濾過フィルタの外周縁が略同一平面上の矩形に設けられ、スリーブには濾過フィルタの対向辺を挿し入れるガイド溝が形成され、スリーブの径方向の外側あるいは内側に膨出して設けられるもので、最良の形態１、２の効果を両方備えている。
【実施例１】
【００２３】
本発明をパイロット式油圧制御弁のパイロットバルブに適用した実施例１を、図１、図２を参照して説明する。
なお、この実施例１では、先ず「油圧制御装置の要部基本構造」を説明し、その後で「実施例１の特徴」を説明する。
【００２４】
〔油圧制御装置の要部基本構造〕
自動変速機は、車両走行用の出力を発生するエンジンの出力回転比の変更、回転方向の変更等を行う複数の摩擦係合装置（多板式油圧クラッチ、多板式油圧ブレーキ等）を搭載するとともに、各摩擦係合装置の係脱をコントロールする油圧制御装置を搭載する。
各摩擦係合装置は、摩擦要素（多板等）と、この摩擦要素の係脱を行う油圧アクチュエータとから構成されるものであり、油圧制御装置は各摩擦係合装置の油圧アクチュエータの供給油圧を制御する油圧制御バルブを搭載する。
この油圧制御バルブの一例として、摩擦係合装置の供給油圧をコントロールするメインバルブ（図示しない）と、このメインバルブを駆動するためのパイロットバルブとからなるパイロット式油圧制御弁が知られている。
【００２５】
（パイロットバルブの説明）
パイロットバルブの基本構成を、図２を参照して説明する。
なお、以下では、具体的な説明の一例としてＮ／Ｏ（ノーマリ・オープン）タイプのパイロットバルブに本発明を適用した実施例を説明するが、Ｎ／Ｃ（ノーマリ・クローズ）タイプのパイロットバルブに本発明を適用しても良い。
この実施例に示すパイロットバルブは、メインバルブの圧力制御室に送られる供給油圧をコントロールするスプール弁１と、このスプール弁１を駆動する電磁アクチュエータ２とを組み合わせた電磁油圧制御弁である。
【００２６】
（スプール弁１の説明）
スプール弁１は、スリーブ３、スプール４およびリターンスプリング５を備える。
スリーブ３は、図示しない油圧コントローラのケースに形成されたスリーブ挿入穴に挿入されるものであり、略円筒形状を呈する。
スリーブ３には、スプール４を軸方向へ摺動自在に支持する挿通穴６、オイルポンプ（油圧発生手段）から油路等などを介してオイルの供給を受ける入力ポート７、メインバルブの圧力制御室に油路等を介して連通する出力ポート８、低圧側（オイルパン等）に連通する排出ポート９が形成されている。
【００２７】
入力ポート７、出力ポート８、排出ポート９等のオイルポートは、スリーブ３の側面に形成されており、図２右側（電磁アクチュエータ２側）から左側（反電磁アクチュエータ２側）に向けて、ダイアフラム室呼吸用のドレーンポート１１、Ｆ／Ｂ（フィードバック）ポート１２、入力ポート７、出力ポート８、排出ポート９、バネ室呼吸用のドレーンポート１３が形成されている。なお、Ｆ／Ｂポート１２は、出力ポート８と連通して、出力圧に応じたＦ／Ｂ油圧をスプール４に発生させる。
【００２８】
スプール４は、スリーブ３内において軸方向へ摺動自在に支持されるものであり、入力ポート７をシールする入力シールランド１４、排出ポート９をシールする排出シールランド１５、および入力シールランド１４より小径のＦ／Ｂランド１６を有する。そして、入力シールランド１４と排出シールランド１５の間に分配室１７を形成し、入力シールランド１４とＦ／Ｂランド１６の間にＦ／Ｂ室１８を形成する。なお、Ｆ／Ｂランド１６は、Ｆ／Ｂ室１８とダイアフラム室の間をシールする。
【００２９】
Ｆ／Ｂランド１６のランド径は、入力シールランド１４のランド径より小径に設けられている。このため、Ｆ／Ｂ室１８に印加される油圧（出力圧）が大きくなるに従って入力シールランド１４とＦ／Ｂランド１６のランド差による差圧により、スプール４にはリターンスプリング５のバネ荷重に抗する軸力（図２左向きの力）が発生する。これによって、スプール４の変位が安定し、入力圧の変動により出力圧が変動するのを防ぐことができる。なお、スプール４は、リターンスプリング５のバネ荷重と、電磁アクチュエータ２によるスプール４の駆動力と、入力シールランド１４とＦ／Ｂランド１６のランド差による軸力とが釣り合う位置で静止するものである。
【００３０】
この実施例に示すスプール４には、電磁アクチュエータ２の内部にまで延びるシャフト１９が設けられており、このシャフト１９の先端は、後述するプランジャ３２の端面に当接して、プランジャ３２がシャフト１９を介してスプール４を直接駆動するように設けられている。なお、シャフト１９はスプール４と独立しているものであっても良いし、後述するプランジャ３２と結合されるものであっても良い。
【００３１】
リターンスプリング５は、スプール４を開弁側（入力側シール長が短くなって出力圧が高くなる側：この実施例では図２右側）に付勢する筒状に螺旋形成されたコイルスプリングであり、スリーブ３の図２左側のバネ室内に圧縮された状態で配置される。このリターンスプリング５は、一端がスリーブ３の挿通穴６の図２左端を閉塞する調整ネジ２１の底面に当接し、他端がスプール４の端部に当接するものであり、調整ネジ２１の螺合量（ねじ込み量）により、リターンスプリング５のバネ荷重が調整できるようになっている。
【００３２】
上記構成よりなるスプール弁１は、電磁アクチュエータ２の作動によってスプール４を軸方向に変位させることで、入力シールランド１４による入力ポート７と分配室１７の入力側シール長（図２中、ラップα）と、排出シールランド１５による分配室１７と排出ポート９の排出側シール長（図２中、ラップβ）との比率が変化し、その結果、出力ポート８に発生するオイルの出力圧が変化する。
【００３３】
（電磁アクチュエータ２の説明）
電磁アクチュエータ２は、周知構造のものであり、その構造の具体的な一例を以下で説明するが、本発明に組み合わされる電磁アクチュエータ２の構造を限定するものではない。
電磁アクチュエータ２は、コイル３１、プランジャ３２、ステータ３３、ヨーク３４、コネクタ３５を備える。
コイル３１は、通電されると磁力を発生して、プランジャ３２と磁気固定子（ステータ３３、ヨーク３４）を通る磁束ループを形成させるものであり、樹脂ボビン３１ａの周囲に絶縁被膜線を多数巻回したものである。
【００３４】
プランジャ３２は、略円柱形状を呈した磁性体金属（例えば、鉄：磁気回路を構成する強磁性材料）である。なお、この実施例では、プランジャ３２がステータ３３の内周面に直接摺動するタイプを示すが、プランジャ３２とステータ３３の間にカップ材等が配置されるものであっても良い。
また、プランジャ３２は、シャフト１９の先端と直接当接しており、スプール４に伝わるリターンスプリング５のバネ荷重によってスプール４とともにプランジャ３２も開弁側（図２右側）に付勢されている。
なお、プランジャ３２内を軸方向に貫通する孔３２ａは、プランジャ３２の両端の室内を連通する呼吸孔である。
【００３５】
ステータ３３は、磁性体金属（例えば、鉄：磁気回路を構成する強磁性材料）よりなり、プランジャ３２を軸方向へ磁気吸引する吸引ステータ３３ａと、プランジャ３２の周囲を覆ってプランジャ３２と径方向の磁束の受け渡しを行う摺動ステータ３３ｂとを備えるものであり、吸引ステータ３３ａと摺動ステータ３３ｂは磁気遮断溝（磁気抵抗が大きくなる部分）３３ｃを介して磁気的に遮断されている。
ステータ３３の内周には、プランジャ３２を軸方向に摺動可能に支持する軸方向穴３３ｄが形成されている。この軸方向穴３３ｄは、ステータ３３の一端から他端に向けて同径の貫通穴である。
【００３６】
吸引ステータ３３ａは、スリーブ３とヨーク３４との間に挟まれて、ヨーク３４の開口部と磁気的に結合されており、コイル３１の発生した磁力によってプランジャ３２を閉弁側（入力ポート７が閉じて出力圧が低くなる側：この実施例では図２左側）に磁気吸引する。
また、吸引ステータ３３ａは、プランジャ３２を磁気吸引した際にプランジャ３２と軸方向に交差する部分に筒部を備える。この筒部の外周面は、テーパ形状に設けられており、プランジャ３２のストローク量に対して磁気吸引力が変化しないように設けられている。
なお、吸引ステータ３３ａの一部がプランジャ３２と軸方向に対向する構造であっても良い。
【００３７】
摺動ステータ３３ｂは、プランジャ３２の略全周を覆う略円筒形状を呈するものであり、ヨーク３４の底部と磁気的に結合されている。この摺動ステータ３３ｂは、プランジャ３２と直接摺動してプランジャ３２を軸方向に摺動自在に支持するとともに、プランジャ３２と径方向の磁束の受け渡しを行うものである。
ヨーク３４は、コイル３１の周囲を覆って磁束を流す略カップ状に形成された磁性体金属（例えば、鉄：磁気回路を構成する強磁性材料）であり、開口端部に形成された爪部をカシメることでスリーブ３と強固に結合される。
【００３８】
スプール弁１と電磁アクチュエータ２の連結部分には、スリーブ３内と電磁アクチュエータ２内を区画するダイアフラム３６が設けられている。ダイアフラム３６は、略リング形状のゴム製であり、外周部がスリーブ３とステータ３３の間に挟み付けられ、中心部がシャフト１９の外周に形成された溝に嵌め合わされてスリーブ３内のオイルや異物が電磁アクチュエータ２の内部に侵入するのを防ぐものである。
【００３９】
コネクタ３５は、パイロットバルブを制御する電子制御装置（図示しない）と接続線を介して電気的な接続を行う接続手段であり、その内部にはコイル３１の両端にそれぞれ接続される端子３５ａが配置されている。
なお、電子制御装置は、デューティ比制御によって電磁アクチュエータ２のコイル３１へ供給する通電量（電流値）を制御するものであり、コイル３１への通電量を制御することによって、リターンスプリング５のバネ荷重に抗してプランジャ３２およびスプール４の軸方向の位置をリニアに変位させることで、入力側シール長（ラップα）と、排出側シール長（ラップβ）との比率を変化させて、出力ポート８に発生する油圧をコントロールして、メインバルブの圧力制御室の油圧を制御するものである。
【００４０】
〔実施例１の特徴〕
実施例１の特徴を「実施例１の背景」、「不具合を解決する技術」および「実施例１の効果」の順に説明する。
（実施例１の背景）
スプール４が図２右側へ移動することで、入力ポート７と出力ポート８の連通度合が大きくなり、出力ポート８と排出ポート９の連通度合が小さくなる。これによって、入力ポート７から出力ポート８に向かってオイルが流れ、メインバルブの圧力制御室の供給油圧を高める。
逆に、スプール４が図２左側へ移動することで、入力ポート７と出力ポート８の連通度合が小さくなり、出力ポート８と排出ポート９の連通度合が大きくなる。これによって、出力ポート８から排出ポート９に向かってオイルが流れ、メインバルブの圧力制御室の供給油圧を低下させる。
このように、パイロットバルブでは、入力ポート７からスプール弁１内にオイルが流入するとともに、出力ポート８からもスプール弁１内にオイルが流入する。
【００４１】
ここで、入力ポート７に導かれるオイルは、オイルポンプに吸い込まれる以前においてオイルストレーナに設けられたオイルフィルタで濾過されており、濾過後のクリーンなオイルが入力ポート７に導かれる。
一方、メインバルブの圧力制御室から出力ポート８に戻されるオイルも、もともとはスプール弁１を通過したクリーンなオイルである。
【００４２】
しかし、オイルストレーナから入力ポート７に至るオイル経路に、製造時の切削粉、バリ、摩耗扮、あるいは分解メンテナンス時に侵入した砂や塵など、予期せぬ異物が混入する可能性がある。
同様に、出力ポート８とメインバルブの圧力制御室とを連通するオイル経路にも、製造時の切削粉、バリ、摩耗扮、あるいは分解メンテナンス時に侵入した砂や塵など、予期せぬ異物が混入する可能性がある。
このような予期せぬ異物がスプール弁１に侵入することで、パイロットバルブが作動不良を起こす可能性がある。
【００４３】
（不具合を解決する技術）
この実施例１のパイロットバルブは、上述したように、入力ポート７からスプール弁１内にオイルが流入するとともに、出力ポート８からもスプール弁１内にオイルが流入するものであって、入力ポート７および出力ポート８が「スリーブ３の外部から内部にオイル（流体の一例）を導く開口部」に相当する。
入力ポート７と出力ポート８のそれぞれには、入力ポート７および出力ポート８を通過する流体を濾過する濾過フィルタ４１が取り付けられている。
【００４４】
入力ポート７と出力ポート８に取り付けられる濾過フィルタ４１の構造は共通であり、以下では出力ポート８を例に濾過フィルタ４１の構造を、図１、図２を参照して説明する。
濾過フィルタ４１は、薄板金属を打ち抜き加工等によって矩形平面に形成したものであり、濾過フィルタ４１の外周縁と、この外周縁の内側でオイルを濾過する流体濾過部４２（多数の微小隙間の集合体）とが同一平面上に設けられている。
なお、この実施例１の流体濾過部４２は、後述する実施例２とは異なり、薄板金属製の濾過フィルタ４１にエッチング技術を用いて微小隙間の集合体を形成したものである。
【００４５】
一方、スリーブ３には、出力ポート８の内部（分配室１７の開口端）に濾過フィルタ４１を組付けるためのガイド溝４３が形成されている。ガイド溝４３は、濾過フィルタ４１の対向する２辺（長辺）を出力ポート８の開口端｛図１（ａ）の矢印Ａに示す部分：濾過フィルタ４１の挿入口｝からスリーブ３内に挿し入れるための対向した平行溝であり、ガイド溝４３に沿って濾過フィルタ４１を挿入することで、出力ポート８の内部において分配室１７の開口全域を覆うように濾過フィルタ４１が組付けられ、出力ポート８を通過するオイルは全て流体濾過部４２を通過する。
【００４６】
具体的にガイド溝４３は、濾過フィルタ４１の組付位置、組付方向を決定するものであり、スリーブ３の軸方向｛図１（ａ）のｘ軸方向参照：以下ｘ軸と称す｝と、ｘ軸に直行する方向｛図１（ａ）のｙ軸方向参照：以下、ｙ軸と称す｝とによる２次平面と平行に濾過フィルタ４１を組付けるものである。
ガイド溝４３は、ｙ軸方向に平行な２つの溝で構成され、２つの溝は互いに溝底面が向かい合うように形成されている。
また、ガイド溝４３の終端（濾過フィルタ４１の挿入先端側）には、濾過フィルタ４１の組付完了時に濾過フィルタ４１の挿入先端の短辺が挿し入れられる先端封止溝４４が形成されており、平行するガイド溝４３と先端封止溝４４とでコ字形状を呈する。
【００４７】
ここで、ガイド溝４３における濾過フィルタ４１の挿入口には、濾過フィルタ４１の挿入終端辺（短辺）に沿う段差４５が形成されている。
一方、濾過フィルタ４１の挿入終端の短辺には、ガイド溝４３内に濾過フィルタ４１の組付終了時に段差４５に当接する屈曲辺４６が形成されている。この屈曲辺４６は濾過フィルタ４１の打ち抜き加工時に同時に曲折加工されたものである。屈曲辺４６の高さ｛ｘ軸とｙ軸の両方に直行する方向：図１（ａ）のｚ軸方向参照：以下ｚ軸と称す｝寸法は、「ガイド溝４３のｚ軸寸法」から「濾過フィルタ４１の板厚寸法」を差し引いたｚ軸方向の組付クリアランスより大きく設けられている。即ち、濾過フィルタ４１がオイルの流れ作用によって高さ方向であるｚ軸方向に変位しても、段差４５と屈曲辺４６の一部が必ず重なって、異物が濾過フィルタ４１の挿入口からスリーブ３の内部に侵入するのを防ぐように設けられている。
なお、濾過フィルタ４１をスリーブ３に組付けた際に、屈曲辺４６がスリーブ３に押し付けられて弾性変形するようにして、屈曲辺４６を濾過フィルタ４１の抜止めとして用いても良いし、濾過フィルタ４１をスリーブ３に組付けた際に、屈曲辺４６をスリーブ３に形成した係止溝に嵌め合わせて、屈曲辺４６を濾過フィルタ４１の抜止めとして用いても良い。
【００４８】
次に、濾過フィルタ４１の組付けについて説明する。
濾過フィルタ４１の先端（屈曲辺４６が設けられている短辺とは異なった側の短辺）を、出力ポート８の開口端（濾過フィルタ４１の挿入口）にある対向ガイド溝４３の溝端に差し入れ、濾過フィルタ４１を対向ガイド溝４３に沿って押し入れる。そして、濾過フィルタ４１の挿入先端が先端封止溝４４の底面に当接すると同時に屈曲辺４６が段差４５に当接し、濾過フィルタ４１の組付けが完了する。
【００４９】
濾過フィルタ４１の長手寸法（ｙ軸方向の長さ）は、濾過フィルタ４１がガイド溝４３内に組付けられた状態で、濾過フィルタ４１の挿入終端がスリーブ３の外径円に一致する長さに設けられている。このため、スプール弁１が油圧コントローラのケースのスリーブ挿入穴の内部に組付けられることで、濾過フィルタ４１の挿入終端がスリーブ挿入穴の内周面に当接し、濾過フィルタ４１がスリーブ３から抜け出る不具合を確実に防ぐことができる。
なお、入力ポート７においても、出力ポート８と同様にして濾過フィルタ４１が組付けられるものである。
【００５０】
（実施例１の効果１）
パイロットバルブに用いられる実施例１のスプール弁１は、平な濾過フィルタ４１を直線的に設けられたガイド溝４３に沿って挿し込むことで濾過フィルタ４１の組付けを行うことができるため、従来技術に比較して濾過フィルタ４１をスリーブ３に組付ける際の組付性が向上する。
また、矩形平面の濾過フィルタ４１を直線的に移動させることで、濾過フィルタ４１をガイド溝４３に沿って組付けることができるため、自動組付けも可能になる。
【００５１】
（実施例１の効果２）
出力ポート８の外部から内部へオイルが流れる際（メインバルブの圧力制御室の油圧を下げる際）は、外部から内部へ向けて流れるオイルの流れ抵抗を受けて濾過フィルタ４１がガイド溝４３の内径側に押し付けられて、濾過フィルタ４１の外周縁がガイド溝４３の内径側に密着する。
具体的には、濾過フィルタ４１において対向する長辺がガイド溝４３の内径側の面に当接するとともに、濾過フィルタ４１において対向する短辺が分配室１７の開口端面Ｂとに当接する。このため、濾過フィルタ４１とスリーブ３との間に隙間ができる不具合がない。
【００５２】
一方、出力ポート８の内部から外部へオイルが流れる際（メインバルブの圧力制御室の油圧を高める際）は、内部から外部へ向けて流れるオイルの流れ抵抗を受けて濾過フィルタ４１がガイド溝４３の外径側に押し付けられて、濾過フィルタ４１の外周縁がガイド溝４３の外径側に密着する。
具体的には、濾過フィルタ４１において対向する長辺がガイド溝４３の外径側の面に当接し、濾過フィルタ４１において対向する短辺の一方（挿入先端側）が先端封止溝４４の外径側の面に当接し、さらに濾過フィルタ４１において対向する短辺の他方（挿入終端側）に設けられた屈曲辺４６が段差４５に当接している。このため、濾過フィルタ４１とスリーブ３との間に隙間ができる不具合がない。
【００５３】
このように、オイルの流れ方向に関係なく濾過フィルタ４１の外周縁がオイルの流れ作用によってスリーブ３に密着するため、濾過フィルタ４１とスリーブ３との間に隙間ができることがなく、濾過フィルタ４１の組付クリアランスから異物がスリーブ３の内部に侵入する不具合がない。これによって、信頼性に優れたパイロットバルブを提供できる。
【実施例２】
【００５４】
図３、図４を参照して実施例２を説明する。なお、実施例２では「第１の特徴技術」と第２の特徴技術」とに分けて説明する。
（第１の特徴技術）
上記の実施例１では、濾過フィルタ４１全体を平面形状に設ける例を示した。
これに対し、この実施例２では、濾過フィルタ４１の外周縁（外端の４辺）を同一平面上の矩形に設け、実施例１と同様にしてガイド溝４３に挿し込むことでスリーブ３に組付けるものであるが、濾過フィルタ４１における流体濾過部４２をｘ軸（スリーブ３の軸方向に沿う軸線）に対し、スリーブ３の径方向の外側に膨出して設けたものである。
【００５５】
具体的にこの実施例の流体濾過部４２は、図３に示すように、ｚ軸方向の外側（スリーブ３の径方向外側）に膨出して設けられた茶漉形状を呈するものであり、流体濾過部４２は例えば楕円球の一部の表面形状を呈するものである。
この茶漉形状を呈する流体濾過部４２は、後述する「第２の特徴技術」で示すようにプレス加工により膨出加工されたものである。
【００５６】
このように流体濾過部４２がスリーブ３の径方向の外側に膨出する茶漉形状に設けられることで、流体濾過部４２の表面積を大きく確保することができる。
流体濾過部４２の表面積が大きくなることで、流体濾過部４２におけるオイルの流れ抵抗を小さくでき、メインバルブの切替反応を高めることができる。
また、流体濾過部４２に少量の異物が付着しても、流体濾過部４２の表面積が大きくなっているため、従来技術に比較してオイルの流れ抵抗を小さくできる。さらに、冬季の低温始動時などオイルの温度が低下した場合であっても、従来技術に比較してオイルの流れ抵抗を小さくできる。このように、濾過フィルタ４１の流体濾過部４２においてオイルの流れが阻害される不具合を抑えることができる。この結果、スプール弁１の出力特性、即ちパイロットバルブの出力特性の劣化を抑えることができ、信頼性に優れたパイロットバルブを提供できる。
【００５７】
（第２の特徴技術）
上記の実施例１では、エッチング技術により流体濾過部４２を形成する例を示した。
これに対し、この実施例２の流体濾過部４２は、多数のスリットＣであり、流体濾過部４２（多数のスリットＣが形成された部分）を「第１の特徴技術」で示したように茶漉形状に膨出させることで、各スリットＣが開いて各スリットＣが微小隙間を形成するものである。
【００５８】
次に、多数のスリットＣを膨出させた流体濾過部４２の製造方法の一例を図４を参照して説明する。
先ず、図４（ａ）、（ｂ）に示すように、平板形状の濾過フィルタ４１の略全域に多数のスリットＣを形成する。多数のスリットＣはプレス加工により形成するものであっても良いし、レーザ光により形成するものであっても良い。
続いて、図４（ｃ）に示すように、膨出金型５０を用いたプレス加工技術により、濾過フィルタ４１の外周縁を除いた部分を膨出させる。
このプレス加工により、図４（ｄ）に示すように流体濾過部４２が膨出することで各スリットＣが開いて、各スリットＣが異物の通過を阻止する微小隙間を形成する。
【００５９】
このように、流体濾過部４２の膨出を利用して多数のスリットＣを開かせて微小隙間を形成するため、多数の微小隙間の形成を容易に実施でき、濾過フィルタ４１のコストを抑えることができる。これによって、濾過フィルタ４１を取り付けたスプール弁１を有するパイロットバルブのコストを抑えることができる。
【００６０】
（実施例２の変形例）
この実施例２では、流体濾過部４２を外側に膨出する例を示したが、内側に膨出させても不具合がない場合（例えば、内側に膨出させても流体濾過部４２がスプール４に接触しない場合等）は、流体濾過部４２を内側に膨出させても良い。
また、この実施例２では、平面形状を呈する濾過フィルタ４１の流体濾過部４２を膨出する例を示したが、矩形薄板をＣ字形状に湾曲させた濾過フィルタ４１（例えば、特許文献１に示す濾過フィルタ）における流体濾過部４２を内側に膨出させても良い。
さらに、この実施例２では、流体濾過部４２の膨出例として流体濾過部４２を略球面状よりなる円弧の立体形状に設ける例を示したが、三角形状、台形形状、多角形状など、他の立体形状に設けても良い。
【００６１】
〔変形例〕
上記実施例では、濾過フィルタ４１の外周縁（矩形の４辺）のうちの短辺の一辺のみを曲折させる例を示したが、他の３辺を少量幅で少量角度だけ屈曲させ、その屈曲部の復元力を利用して濾過フィルタ４１の周縁をガイド溝４３および先端封止溝４４の溝側面に押し付けて濾過フィルタ４１の組付クリアランスを無くすようにしても良い。
上記の実施例１、２では、入力ポート７と出力ポート８の両方に濾過フィルタ４１を取り付ける例を示したが、入力ポート７のみ、または出力ポート８のみに濾過フィルタ４１を取り付けても良い。
上記の実施例１、２では、入力ポート７と出力ポート８の両方に濾過フィルタ４１を取り付ける例を示したが、ドレーンポート１１、Ｆ／Ｂポート１２、ドレーンポート１３など、他のポートにも濾過フィルタ４１を取り付けても良い。
【００６２】
上記の実施例１、２では、パイロットバルブに本発明を適用する例を示したが、メインバルブに本発明を適用しても良い。
上記の実施例１、２では、パイロットバルブとメインバルブを組み合わせて摩擦係合装置の供給油圧をコントロールする例を示したが、摩擦係合装置の供給油圧を１つの電磁油圧制御弁でコントロールするものに本発明を適用しても良い。
上記の実施例１、２では、自動変速機の油圧制御装置に用いられる油圧制御弁に本発明を適用する例を示したが、自動変速機以外の流体コントロールバルブに本発明を適用しても良い。具体的には、カムシャフトの進角を可変するＶＶＴ（バルブ可変タイミング装置）のＯＣＶ（オイル・フロー・コントロール・バルブ）等に本発明を適用しても良い。
【００６３】
上記の実施例１、２では、三方弁構造を採用するスプール弁１に本発明を適用する例を示したが、二方弁（開閉弁）や四方弁以上の弁構造を採用するスプール弁に本発明を適用しても良い。
上記の実施例１、２では、スプール弁１を駆動する駆動手段として電磁アクチュエータ２を用いる例を示したが、電動モータによる直線駆動、ピエゾスタック等を用いたピエゾアクチュエータ、油圧、吸気負圧等の流体圧アクチュエータなど、他の駆動手段を用いても良い。
【図面の簡単な説明】
【００６４】
【図１】（ａ）濾過フィルタが取り付けられるスリーブの要部斜視図、（ｂ）スリーブを軸方向から見た濾過フィルタ取付部の断面図、（ｃ）Ｉ−Ｉに沿う断面図である（実施例１）。
【図２】パイロットバルブの断面図である（実施例１）。
【図３】（ａ）濾過フィルタが取り付けられるスリーブの要部斜視図、（ｂ）スリーブを軸方向から見た濾過フィルタ取付部の断面図、（ｃ）ＩＩ−ＩＩに沿う断面図である（実施例２）。
【図４】濾過フィルタの加工例の説明図である（実施例２）。
【図５】パイロットバルブの断面図である（従来例１）。
【図６】濾過フィルタが取り付けられるスリーブの要部斜視図である（従来例２）。
【符号の説明】
【００６５】
１  スプール弁（油圧制御弁）
２  電磁アクチュエータ
３  スリーブ
４  スプール
７  入力ポート（開口部）
８  出力ポート（開口部）
４１  濾過フィルタ
４２  流体濾過部
４３  ガイド溝
Ｃ  スリット
【図１】
2008232272.tif 000003
【図２】
2008232272.tif 000004
【図３】
2008232272.tif 000005
【図４】
2008232272.tif 000006
【図５】
2008232272.tif 000007
【図６】
2008232272.tif 000008